(57)【特許請求の範囲】
【請求項１】
壁面に後付けされる機能パネルと、前記壁面を構成する壁材に取り付けられる一対の縦桟と、前記一対の縦桟の間に設けられ前記機能パネルを保持する保持部材とを備えた内装パネル装置であって、
前記保持部材は、一対の縦桟の間に架け渡されるようにして設けられるとともに前記壁面を構成する下地桟に前記壁材を介してねじ固定される固定部材によって固定されていることを特徴とする内装パネル装置。
【請求項２】
請求項１において、
前記固定部材は、前記保持部材を押さえる押さえ部と、この押さえ部の両端に形成された固定部とを有するとともに、前記保持部材の上に跨るように設けられ、前記下地桟に対して前記固定部がねじ固定されていることを特徴とする内装パネル装置。
【請求項３】
壁面に後付けされる機能パネルと、前記壁面を構成する壁材に取り付けられる一対の縦桟と、前記一対の縦桟の間に設けられ前記機能パネルを保持する保持部材とを備えた内装パネル装置の取り付け方法であって、
前記一対の縦桟の間に前記保持部材を取り付けた後、前記保持部材を前記壁材に取り付け、前記保持部材を押さえる押さえ部とその両端に形成された固定部とを有した固定部材を壁面を構成する下地桟にねじが螺入されるように取り付け位置の位置調整を行ってから前記固定部をねじで固定し、その後、前記機能パネルを前記保持部材に保持させることによって前記一対の縦桟の前面に取り付けることを特徴とした内装パネル装置の取り付け方法。
【発明の詳細な説明】
【技術分野】
【０００１】
本発明は、機能パネルと、一対の縦桟と、保持部材とを備えた内装パネル装置及びその取り付け方法に関する。
【背景技術】
【０００２】
近年、居室内の空気を循環させ調湿や防臭などを行う機能パネルが知られている。このような機能パネルは、空気が通気する通気路等の機能部を有しているため、一定の厚みを備えている。
厚みのある機能パネルをリフォーム等で壁面に後付けする場合は、厚みにあわせて形成された一対の縦桟と、機能パネルを保持する保持部材とを壁面に取り付け、一対の縦桟の間に機能パネルを取り付けることにより、壁面に収まりよく取り付けられる。
しかしながら、このとき一対の縦枠や保持部材を壁面を構成する壁材にボードアンカー等の固定具で固定しただけでは固定具の打ち込み位置によっては取り付け強度が足りず、一対の縦枠や保持部材ががたつく等して機能パネルを安定して保持できない場合がある。
【０００３】
下記特許文献１には、間仕切りのスタッドを固定する略Ｌ字形の壁取付け金具と、一対のスタッド間に補強部材を取り付ける略Ｌ字形の横補強材取付け金具とを同時に１箇所で１つのねじによりスタッドに取り付けた間仕切りが開示されている。
【先行技術文献】
【特許文献】
【０００４】
【特許文献１】実開平５−４２４２６号公報
【発明の概要】
【発明が解決しようとする課題】
【０００５】
上記特許文献１のスタッドと横補強材の取り付け関係は、内装パネル装置の一対の縦桟と保持部材の取り付け関係に似ている。しかしながら上記特許文献に開示されている例を内装パネル装置に適用しても、上述の取り付け強度を補うことはできない。
【０００６】
ところで一対の縦桟及び保持部材の取り付け位置を壁下地桟が設けられている場所とし、この壁下地桟に向けて固定具を打ち込むようにすれば、一対の縦桟及び保持部材を壁面に安定して取り付けることができる。
しかしながら、この場合は、内装パネル装置の設置位置が制限されてしまう。
そこで機能パネルを保持する保持部材に長孔を設け、壁下地桟の位置にあわせてこの長孔に固定具を挿通させ固定することが考えられるが、この場合は、長孔のために保持部材の固定強度が低下してしまう。
【０００７】
本発明は、上記実情に鑑みてなされたものであり、設置位置にかかわらず、既存の壁面上に機能パネルを安定した強度で取り付けることができる内装パネル装置及びその取り付け方法を提供することを目的としている。
【課題を解決するための手段】
【０００８】
上記目的を達成するために、本発明に係る内装パネル装置は、壁面に後付けされる機能パネルと、前記壁面を構成する壁材に取り付けられる一対の縦桟と、前記一対の縦桟の間に設けられ前記機能パネルを保持する保持部材とを備えた内装パネル装置であって、前記保持部材は、一対の縦桟の間に架け渡されるようにして設けられるとともに前記壁面を構成する下地桟に前記壁材を介してねじ固定される固定部材によって固定されていることを特徴とする。
【０００９】
また本発明において、前記固定部材は、前記保持部材を押さえる押さえ部と、この押さえ部の両端に形成された固定部とを有するとともに、前記保持部材の上に跨るように設けられ、前記下地桟に対してねじ固定されているものとしてもよい。
【００１０】
本発明に係る内装パネル装置の取り付け方法は、壁面に後付けされる機能パネルと、前記壁面を構成する壁材に取り付けられる一対の縦桟と、前記一対の縦桟の間に設けられ前記機能パネルを保持する保持部材とを備えた内装パネル装置の取り付け方法であって、
前記一対の縦桟の間に前記保持部材を取り付けた後、前記保持部材を前記壁材に取り付け、前記保持部材を押さえる押さえ部とその両端に形成された固定部とを有した固定部材を壁面を構成する下地桟にねじが螺入されるように取り付け位置の位置調整を行ってから前記固定部をねじで固定し、その後、前記機能パネルを前記保持部材に保持させることによって前記一対の縦桟の前面に取り付けることを特徴する。
【発明の効果】
【００１１】
本発明に係る内装パネル装置及びその取り付け方法によれば、設置位置にかかわらず、既存の壁面上に機能パネルを安定した強度で取り付けることができる。
【図面の簡単な説明】
【００１２】
【図１】本発明の一実施形態に係る内装パネル装置の施工過程を説明するための模式的斜視図である。
【図２】同内装パネル装置の施工過程を説明するための図１とは異なる模式的斜視図である。
【図３】（ａ）及び（ｂ）は同内装パネル装置の施工手順を説明するための模式的断面図である。
【図４】（ａ）及び（ｂ）は同内装パネル装置の施工手順を説明するための模式的断面図である。
【図５】同内装パネル装置の施工完了状態を示す模式的斜視図である。
【発明を実施するための形態】
【００１３】
以下に本発明の実施の形態について、図面に基づいて説明する。
本実施形態に係る内装パネル装置１は、壁面６に後付けされる機能パネル１０と、壁面６を構成する壁材６０に取り付けられる一対の縦桟５，５と、一対の縦桟５，５の間に設けられ機能パネル１０を保持する保持部材１１とを備えている。
保持部材１１は、一対の縦桟５，５の間に架け渡されるようにして設けられるとともに壁面６を構成する下地桟６１に壁材６０を介してねじ固定される固定部材２０によって固定されている。固定部材２０は、保持部材１１の上に跨るように設けられ、下地桟６１に対してねじ２１で固定されている。
以下、詳しく説明する。
【００１４】
壁面６は、室内空間を仕切るために設けられ、図１等に示すように石膏ボード等からなる薄板状の壁材６０と、壁材６０の裏面側に配設される複数の角柱状の下地桟６１とで構成されている。
なお、壁材６０の表面には、樹脂材製などの化粧シートや木質系の表面材等が貼着される（不図示）。
機能パネル１０は、壁面６に沿って鉛直に立てて設置され、縦長の薄型矩形状に形成されている。
【００１５】
機能パネル１０は、図２及び図５等に示すように排気口１３と吸気口１４とが形成された前板９と、前板９の背面側に突出して設けられる機能部１２（図２、図４（ｂ）参照）とを備えている。
前板９は、保持部材１１による取付状態において機能部１２を覆い隠すように機能部１２の前面よりも大きく形成されている。
前板９の上端部側には排気口１３が設けられており、これと離間して下端部側には吸気口１４が設けられている。排気口１３と吸気口１４との間の内部空間を連通するように内部送風路（不図示）が設けられており、この内部送風路は前板９の背面側に設けられた機能部１２内に形成されている。
図２及び図５に示す符号１５は機能パネル１０の上方に設けられる上カバー、符号１６は機能パネル１０の下方に設けられる下カバーであり、埃等の浸入を防止する。
前板９の裏面側端部の所定位置には、保持部材１１のパネル保持部４に引掛けられる複数の鉤状部材８が設けられている（図２参照）。
【００１６】
機能パネル１０の構成は、図例のものに限定されるものではないが、吸気口１４の背面側にフィルタやシロッコファンが配置されたものとしてもよく、フィルタは、塵埃等の捕捉性や脱臭性を有した活性炭フィルタとしてもよい。また機能部１２に形成された内部送風路内に、送風方向に開口する多数の中空筒状セルの集合体からなるハニカム状構造体を配設し、セル内に調湿材や脱臭剤等の機能性材料を収容したものとしてもよい。
このように調湿性や脱臭性を有したフィルタを配置したり、上述のような機能性材料が収容されたハニカム状構造体を内部送風路内に配設することにより、吸気口１４から取り込んだ室内の空気の調湿、脱臭をすることができる。また調湿、脱臭された空気は排気口１３から排気させることができる。
【００１７】
またシロッコファンは、機能パネル１０の横幅に応じて、左右方向に複数個、設置されており、前方側から吸入した空気を上方に向けて吐出する構成としてもよい。さらに機能パネル１０の上方空間には、シロッコファンなどを駆動制御する制御部が配設されたものとしてもよい。
なお、これらシロッコファン、制御部等への給電は、適宜部位の裏面側に引出した図示しない電源コード等を介してなされ、この機能パネル１０の電源のオンオフ等の操作は、コントローラ（不図示）によってなされる。
【００１８】
壁面６上に取り付けられる縦桟５は、角柱状の木質材などからなり、床面７に対して略垂直に２本設けることにより一対の縦桟５，５が構成されている。
一対の縦桟５，５の長さは機能パネル１０の長手方向の長さに合わせて設定され、また一対の縦桟５，５の間隔は、保持部材１１によって機能パネル１０の機能部１２の幅方向の寸法に合わせて設定される。
【００１９】
保持部材１１は、バネ性を有する鋼材からなる薄板材を折り曲げ加工して作製される。
保持部材１１は、一対の縦桟５，５の間に設けられ、壁面６上に後付けされる機能パネル１０を収まりよく保持できるよう構成されている。
保持部材１１は、一対の縦桟５，５間の壁面６に固定される壁面固定部２と、壁面固定部２の両端部に連設され一対の縦桟５，５の向かいあう内側面５０に固定される縦桟固定部３，３と、縦桟固定部３，３の端部に連設され、機能パネル１０を保持するパネル保持部４，４とを備えている。
【００２０】
壁面固定部２は、一対の縦桟５，５間の壁面６に固定され、一対の縦桟５，５間を連結するように設けられる。これにより、一対の縦桟５，５の間隔を一定に設定することができる。
壁面固定部２の寸法は、機能パネル１０の機能部１２が一対の縦桟５，５の間に収まるように機能部１２の幅方向の寸法よりも少し大になるよう設定される（図４（ｂ）参照）。
図１、図２に示すように壁面固定部２の両端部近傍には固定具挿通孔２ａが形成されており、この固定具挿通孔２ａに固定具２ｂが挿通され、固定具２ｂが壁材６１に打ち込まれ、壁面固定部２が壁材６１に固着される。
【００２１】
縦桟固定部３，３は、壁面固定部２の両端部に連設されており、壁面固定部２を挟んで向かいあうように２つの縦桟固定部３，３が形成されている。縦桟固定部３は、壁面固定部２となす折曲角部３０の角度が鈍角になるよう折り曲げ形成されている（図３（ａ）参照）。すなわち壁材６１に固定される前の保持部材１１の縦桟固定部３は、パネル保持部４側に向かって外方に拡がった状態に形成されている。そしてこの折曲角部３０の角度は、一対の縦桟５，５の間に取り付けられた状態では、後記する力が作用して略直角とされる（図３（ｂ）等参照）。
縦桟固定部３には、固定具挿通孔（不図示）が複数設けられており、縦桟５の内側面５０にねじなどの固定具３１によって固定される。
【００２２】
パネル保持部４，４は、２つの縦桟固定部３の端部のそれぞれに連設され、一対の縦桟５，５の向かいあう内方向に突出する形で折り曲げ形成されており、前板９の裏面端部に設けられた鉤状部材８が引掛けられるよう構成されている。
【００２３】
機能パネル１０の裏面に設けられる鉤状部材８は、金属材などからなり、パネル保持部４に係止されるように鉤状に形成されている。これにより、機能パネル１０を上に持ち上げ、鉤状部材８をパネル保持部４に引掛ければ、機能パネル１０がパネル保持部４に保持された状態とすることができる。
鉤状部材８の機能パネル１０への固着方法は、特に限定されるものではないが、ビス止めまたは溶接などによってなされたものとしてもよい。
また機能パネル１０のパネル保持部４への保持手段は図例のような鉤状部材８に限定されるものでもないが、鉤状部材８をパネル保持部４に引掛けて保持するものとすれば、機能パネル１０の着脱がしやすく、取付施工後も容易に取り外すことができる。
【００２４】
固定部材２０は、金属材等からなる薄板材を折り曲げ加工して作製される。
固定部材２０は、保持部材１１を押さえる押さえ部２０ｂと、この押さえ部２０ｂの両端に形成された固定部２０ａとを有している。
具体的には、固定部材２０は、壁面固定部２の上に跨るように配設され壁面固定部２を上から固定する押さえ部２０ｂと、下地桟６１に向かって螺入されるねじ２１の挿通孔２０ａａ（図１の部分拡大図参照）が形成された固定部２０ａとを備えている。
すなわち、固定部材２０は、平面視において、略長方形状に形成されており、押さえ部２０ｂを中央に配し、押さえ部２０ｂの両端に固定部２０ａ，２０ａが設けられている。押さえ部２０ｂと固定部２０ａとの境目は壁面固定部２の厚み分程度の段差が形成されるよう折り曲げ加工されている。
【００２５】
固定部材２０は、ひとつの保持部材１１に対してひとつ取り付ければよく、図例のものは、３つ設けられた保持部材１１のうち、上下に配された２つの保持部材１１に取り付けられている。
固定部材２０の取り付け位置は、一対の縦桟５，５間を連結するように横方向に設けられた壁面固定部２の上で且つ下地桟６１の上とされる。
すなわち、固定部材２０を取り付ける際には、図１の部分拡大図に示すように壁材６０の裏面側に配設された下地桟６１の位置を確認して取り付け位置を微調整し（図１・部分拡大図の白抜矢印参照）、壁面固定部２の上に配置した後、固定部２０ａの挿通孔２０ａａにねじ２１を挿通し固定する。
これによれば、固定部材２０の固定部２０ａが下地桟６１に強固にねじ固定されるので、これにより保持部材１１も安定して壁面６に固定される。従って機能パネル１０の取り付け位置は、下地桟６１の配設位置を気にすることなく設定することができ、設置位置にかかわらず、既存の壁面６上に機能パネル１０を安定した強度で取り付けることができる。
【００２６】
なお、ここでは、３つの保持部材１１を一対の縦桟５，５間に取り付けた例を示しており、これにあわせて鉤状部材８が機能パネル１０の前板９の裏面に６つ設けられた例を示している。しかしながら、保持部材１１及び鉤状部材８が設けられる個数は図例に限定されるものではなく、機能パネル１０の大きさやその重量等に応じて適宜設けることができる。またこれに応じて固定部材２０の数も図例に限定されず、適宜設けることができる。
以上の構成によれば、保持部材１１の壁面固定部２によって長尺の一対の縦桟５，５の既存の壁面６上に略等間隔に空けて互いが略平行に取り付けることができ、一対の縦桟５，５の間に前板９の背面から突出した機能部１２を収めることができる（図４（ｂ）参照）。
従って、機能パネル１０を収まりよくそして見栄えよく壁面６に保持することができる（図５参照）。
【００２７】
次に図を参照しながら、内装パネル装置１の取付施工手順の一例についてその概略を説明する。
まず、保持部材１１の縦桟固定部３を縦桟５に固定する。具体的には、縦桟固定部３の固定具挿通孔に固定具３１を挿通させて縦桟５にねじ固定する。これにより縦桟固定部３の外面側と縦桟５の内側面５０とが接した状態で固着される。ここで縦桟固定部３の縦桟５への取り付け位置は、壁面６に固定するときに壁面固定部２と壁材６０との間に若干の隙間（図３（ｂ）参照）が形成されるように取り付けることを留意する。
同じ要領で順次保持部材１１を一対の縦桟５，５間に計３つ取り付けていく。このとき、保持部材１１の縦桟５への取り付け位置は、機能パネル１０に固着された鉤状部材８の取り付け位置に対応するように設定される。
一方、機能パネル１０の前板９の裏面にはパネル保持部４に鉤部８１が引掛けられるように複数の鉤状部材８を順に固着しておく。
【００２８】
次に壁面６の機能パネル１０の取り付け位置に保持部材１１が取り付けられた一対の縦桟５，５をセッティングする（図１及び図３（ｂ）参照）。このとき、下地桟６１の配設位置を気にしなくてよい。
一対の縦桟５，５を壁面６に押し付けるようにセッティングすると、縦桟固定部３に内方へ折れ曲がる力がかかるので、壁面固定部２と縦桟固定部３とがなす折曲角部３０の角度が鈍角から略直角状態になる。
【００２９】
そしてこの状態で壁面固定部２の固定具挿通孔２０に固定具２ｂを挿通させ壁材６０に向けて固定具２ｂを打ち込んでいく（図３（ｂ）参照）。
固定具２ｂを壁材６０に打ち込んでいくと壁面固定部２と壁材６０との隙間が埋まっていき縦桟固定部３のそれぞれにさらに内方へ力が作用する。このように内方への力が作用するともともと鈍角に形成された折曲角部３０にもとの形状に戻ろうとする復元力が作用する。すなわち、壁面固定部２には、固定具２ｂによって壁面６へ固定する内方への力が作用するのに抗して、縦桟固定部３には外方への反発力が生じ縦桟５を壁材６０に押し付ける力が生じる。
従って、壁面６に縦桟５を取り付ける際に生じやすい浮きが発生せず、保持部材１１のバネ性と折曲角部３０の構成によって、縦桟５の壁面側面５１が壁面に押し付けられて壁面６と縦桟５との間に隙間が発生し難くなる。
【００３０】
続いて、縦桟５にボードアンカー５ａを打ち込んでいく（図３（ｂ）及び図４（ａ）（ｂ）参照）。図例のものは１本の縦桟５に計３本のボードアンカー５ａが打ち込まれ、壁材６０に固定された例を示している。
ここでボードアンカー５ａは、樹脂材製などからなるアンカー部材５ａａと固定ねじ５ａｂとで構成される。
ボードアンカー５ａは、石膏ボードにねじ止めする際に汎用されているものと用いることができ、アンカー部材５ａａは、固定ねじ５ａｂを螺入していくと先割れしたアンカー部材５ａａ先側が拡径方向に広くように構成されている。
なお、用いられるボードアンカー５ａの数は図例に限定されるものではない。またここでは図示していないが、予め縦桟５にアンカー部材５ａａが挿通される挿通孔を形成しておき、後に固定ねじ５ａｂを螺入していくものとすれば、施工が容易である。
【００３１】
一対の縦桟５，５をボードアンカー５ａによって固定したら、下地桟６１が配設されている位置を確認する。そして、その下地桟６１が配設されている位置に固定部材２０をねじ２１で固定できるように固定部材２０を配置する。このとき、固定部材２０は保持部材１１の上に跨るように設けられ、下地桟６１にねじ２１が螺入されるように取り付け位置の位置調整を行ってから固定部２０ａの挿通孔２０ａａにねじ２１を挿通し固定する（図１の部分拡大図及び図４（ａ）参照）。
【００３２】
次に機能パネル１０を略鉛直に立てて（図２参照）上方へ少し持ち上げ、鉤状部材８のそれぞれをパネル保持部４のそれぞれに引掛けた状態で機能パネル１０を下方にスライドさせる。すると図５に示すように既存の壁面６を壊すことなく機能パネル１０を見栄えよく、容易に取付施工することができる。
【００３３】
以上のように、機能パネル１０を保持する保持部材が下地桟にねじ固定される固定部材によって固定されているので、安定した固定強度で壁面６に内装パネル装置１を取り付けることができる。従って、設置位置にかかわらず、既存の壁面６上に機能パネル１０を安定した強度で取り付けることができるので、内装パネル装置１の設置位置の自由度を向上させることができる。
また上述のように、縦桟５の固定にボードアンカー５ａを用いれば、壁材６０が比較的柔らかい石膏ボードからなる場合でも、固定ねじ５ａｂによって強固に縦桟５を壁材６０に固着することができる。
従って、下地桟６１にねじ固定される固定部材２０の固定力との相乗効果でより一層内装パネル装置１を安定して保持できる。
【００３４】
さらに上述の保持部材１１は、壁面６に固定される壁面固定部２、一対の縦桟５，５に固定される縦桟固定部３，３、機能パネル１０を保持するパネル保持部４，４の大きく３つの役割をひとつの部材でなすことができる。
従って内装パネル装置１の部品点数を増加させることなく、一対の長尺の縦桟５，５を等間隔に空けて互いが平行になるように取り付けることができ、機能パネル１０の取り付け施工を上述のように簡易に行うことができる。
【００３５】
なお、本実施形態では、保持部材１１によって調湿機能や脱臭機能を備えた機能パネルが保持される例について説明したが、機能パネルの形状や構成等は上述の例に限定されず、前板９の背面側に機能部を備えたようなパネルの保持部材１１として好適に用いられる。
また固定部材２０、保持部材１１、鉤状部材８の形状や構成等も図例に限定されるものではない。
【符号の説明】
【００３６】
１      内装パネル装置
６      壁面
６０      壁材
６１      下地桟
１０      機能パネル
１１  保持部材
５  縦桟
２０      固定部材
２０ａ      固定部
２０ｂ      押さえ部
２１      ねじ
【図１】
0005453201.tif 000002
【図２】
0005453201.tif 000003
【図３】
0005453201.tif 000004
【図４】
0005453201.tif 000005
【図５】
0005453201.tif 000006